【事件の表示】
　平成　７年特許願第　３６５７６号「ビデオカメラの露出制御方法」拒絶査定不服審判事件〔平成　８年　９月１３日出願公開、特開平　８−２３７５４４〕について、次のとおり審決する。
【結　論】
　本件審判の請求は、成り立たない。
【理　由】
第１　手続の経緯
　本願は，平成７年２月２４日の出願であって，平成１５年１１月７日付けで拒絶理由が通知され，これに対し，平成１６年１月９日付けで手続補正がなされ，平成１６年３月２３日付けで拒絶査定がなされ，これに対し，平成１６年４月３０日に拒絶査定に対する審判請求がなされるとともに，平成１６年５月２７日付けで手続補正（明細書または図面について請求の日から３０日以内にする補正）がなされたものである。
　
第２　平成１６年５月２７日付けの手続補正についての補正却下の決定
［補正却下の決定の結論］
　平成１６年５月２７日付けの手続補正を却下する。
［理由］
１　本件補正の内容
　平成１６年５月２７日付けの手続補正（以下「本件補正」という。）は，本件補正前の特許請求の範囲の請求項１の記載を，
「輝度信号を積分した輝度積分値を基に求めた測光値があらかじめ設定した目標値に一致するようにアイリスの開度を制御する機能と，撮像素子の電子シャッタスピードを制御する機能とを有するビデオカメラにおいて，
　電子シャッタスピードをノーマル値に固定した状態で，露出レベルを適性露出レベルとするように，アイリスの開度を調整する第１の露出制御モードと，
　アイリスの開度を，小絞りボケが生じるアイリス開度よりも若干大きい設定アイリス開度に固定した状態で，露出レベルを適性露出レベルとするように，電子シャッタスピードを調整する第２の露出制御モードと，
　電子シャッタスピードを最高値に保持した状態で，露出レベルを適性露出レベルとするように，アイリスの開度を調整する第３の露出制御モードとを有し，
　測光値が上昇している場合には，アイリス開度が設定アイリス開度になったら第１の露出制御モードから第２の露出制御モードに移し，電子シャッタスピードが最高値になったら第２の露出制御モードから第３の露出制御モードに移し，
　測光値が減少している場合には，アイリス開度が設定アイリス開度に戻ったら第３の露出制御モードから第２の露出制御モードに移し，電子シャッタスピードがノーマル値に戻ったら，第２の露出制御モードから第１の露出制御モードに移すことを特徴とするビデオカメラの露出制御方法。」
　から，
「輝度信号を積分した輝度積分値を基に求めた測光値があらかじめ設定した目標値に一致するようにアイリスの開度を制御する機能と，撮像素子の電子シャッタスピードを制御する機能とを有するビデオカメラにおいて，
　電子シャッタスピードをノーマル値に固定した状態で，露出レベルを適性露出レベルとするように，アイリスの開度を調整する第１の露出制御モードと，
　アイリスの開度を，小絞りボケが生じるアイリス開度よりも若干大きい設定アイリス開度に固定した状態で，露出レベルを適性露出レベルとするように，電子シャッタスピードを調整する第２の露出制御モードと，
　電子シャッタスピードを最高値に保持した状態で，露出レベルを適性露出レベルとするように，アイリスの開度を調整する第３の露出制御モードとを有し，
　測光値が上昇している場合には，第１の露出制御モードではアイリス開度を監視しこのアイリス開度が設定アイリス開度になったら第１の露出制御モードから第２の露出制御モードに移し，第２の露出制御モードでは電子シャッタスピードを監視しこの電子シャッタスピードが最高値になったら第２の露出制御モードから第３の露出制御モードに移し，
　測光値が減少している場合には，第３の露出制御モードではアイリス開度を監視しこのアイリス開度が設定アイリス開度に戻ったら第３の露出制御モードから第２の露出制御モードに移し，第２の露出制御モードでは電子シャッタスピードを監視しこの電子シャッタスピードがノーマル値に戻ったら，第２の露出制御モードから第１の露出制御モードに移すことを特徴とするビデオカメラの露出制御方法。」
　に補正するものである。
　
２　本件補正の適合性
（１）補正の範囲（第１７条の２第３項）
　本件補正は，願書に最初に添付した明細書又は図面に記載した事項の範囲内においてする補正である。
（２）補正の目的（第１７条の２第４項第１号ないし第４号）
　新請求項１は，実質的に，旧請求項１に記載した発明を特定するために必要な事項である「第１の露出制御モード」，「第２の露出制御モード」及び「第３の露出制御モード」の各モード間の移行に関して，それぞれ，
「測光値が上昇している場合には，アイリス開度が設定アイリス開度になったら第１の露出制御モードから第２の露出制御モードに移し」を「測光値が上昇している場合には，第１の露出制御モードではアイリス開度を監視しこのアイリス開度が設定アイリス開度になったら第１の露出制御モードから第２の露出制御モードに移し」に，
「電子シャッタスピードが最高値になったら第２の露出制御モードから第３の露出制御モードに移し」を「第２の露出制御モードでは電子シャッタスピードを監視しこの電子シャッタスピードが最高値になったら第２の露出制御モードから第３の露出制御モードに移し」に，
「測光値が減少している場合には，アイリス開度が設定アイリス開度に戻ったら第３の露出制御モードから第２の露出制御モードに移し」を「測光値が減少している場合には，第３の露出制御モードではアイリス開度を監視しこのアイリス開度が設定アイリス開度に戻ったら第３の露出制御モードから第２の露出制御モードに移し」に，
「電子シャッタスピードがノーマル値に戻ったら，第２の露出制御モードから第１の露出制御モードに移す」を「第２の露出制御モードでは電子シャッタスピードを監視しこの電子シャッタスピードがノーマル値に戻ったら，第２の露出制御モードから第１の露出制御モードに移す」に，
限定するものであるから，本件補正は，特許法第１７条の２第４項第２号で規定する特許請求の範囲の減縮を目的とするものに該当する。
　
（３）独立特許要件（第１７条の２第５項）　
　そこで，本件補正後の上記請求項１に記載された発明（以下「本願補正発明」という。）が特許出願の際独立して特許を受けることができるものであるか（特許法第１７条の２第５項において準用する同法第１２６条第５項の規定に適合するか）について以下に検討する。　
　
ア　引用例
　原査定の拒絶の理由に引用された特開平５−６４０５９号公報（平成５年３月１２日出願公開，以下「引用例」という。）には，図面とともに，次のとおりの記載がある。
（ア）「図１は本発明の撮像装置をビデオカメラに適用した一実施例の構成を示すブロック図で，（中略）
　一方，９は撮像画面上を複数画面に分割し，任意の領域に相当する画像信号を抽出すべくＡＧＣ回路５より出力された信号にゲートをかけるゲート回路，１０はゲート回路９によつて選択された撮像画面内の指定領域内に相当する撮像信号を積分してその平均光量を求める積分器，１１は積分器より出力された信号を後述するシステムコントロール回路によつて処理可能なデジタル信号に変換するＡ／Ｄ変換器である。このゲート回路９による領域指定動作と積分器１０の積分動作は撮影モードに応じた測光領域の指定および重み付け設定に関するものであり，その選択特性については，後述のシステムコントロール回路１３より出力されるゲートパルスと，積分リセツトパルスの制御によつて任意に設定することができる。（中略）１６はアイリスの開口量すなわち絞り値を検出するホール素子等で構成されたアイリスエンコーダ」（段落【００１４】ないし段落【００１６】）
（イ）「そしてゲート回路９を介して取り込まれた測光領域内における撮像信号の撮影モードに応じた積分値を取り込み，ＬＵＴ１９ａ，１９ｂ，１９ｃ…のデータを参照しながらその撮影状況に応じたアイリス制御信号を演算し，Ｄ／Ａ変換器１５を介してアイリス駆動回路１４へと供給するとともに，（中略）さらにＣＣＤ駆動回路１２へも制御信号を供給し，撮影モード，撮影状況に応じて，撮像素子の蓄積時間（電子シヤツタ），読み出しタイミング，リセツトタイミング等の制御を行なう。（中略）
　このようにシステムコントロール回路２５は，上述したような，積分値によるアイリス制御，ゲイン制御，撮像素子の駆動制御（たとえば蓄積時間制御による電子シヤツタ）等を撮影モード撮影状況，アイリスの駆動状態に基づいて同時にあるいは適宜組み合わせて動作させることにより，あらゆる撮影状況に対して最適露出制御を行なうものである。」（段落【００２４】ないし段落【００２６】）
（ウ）「まず本発明装置において露出制御に用いられる各種制御パラメータについて説明する。
（１）アイリス開口量（パラメータＰ１）
　システムコントロール回路より出力されたアイリス制御信号は，Ｄ／Ａ変換器１５によつてアナログ信号に変換された後，アイリス駆動回路１４へと供給されて電流増幅され，アイリスモータ１３へと供給されてこれを駆動する。アイリスモータ１３はこれによつてアイリス２の絞り状態を制御する。
　Ａ／Ｄ変換器１１より供給される積分器１０の積分値が，その撮影モードに対応するＬＵＴ１９ａ，１９ｂ，１９ｂｃ…にて規定されている制御値よりも大であれば，露出オーバーであるため，アイリス駆動回路１４を制御してアイリスモータ１３をアイリス２を絞り込む方向に駆動し，入射光量を減少させて結果的に積分器１０の出力レベルを減少させる。
　逆にＬＵＴ１９にて規定された制御値よりもＡ／Ｄ変換器１１より供給される積分値が小さい場合は，上述とは逆にアイリスモータ１３を反対方向に駆動し，アイリス２を開いて入射光量を増大させ結果的に積分値を増大させるように制御される。
（２）シヤツタスピード（パラメータ２）（図３を参照）
　撮像素子の蓄積時間設定信号Ｄt がシステムコントロール回路２５よりデジタル信号の形態で出力され，これを受けてＣＣＤ駆動回路１２はＣＣＤの各種タイミングを決定するパルスを発生し，蓄積時間を制御する。（中略）
　そして具体的な時間制御の方法としてＤt をシステムコントロール回路２５が出力することにより，以下の演算によりシヤツタスピードＴが決定される。（中略）
　そしてシステムコントロール回路２５は，現在のシヤツタスピードがＡ／Ｄ変換器１１からの積分値に対応してＬＵＴ１９に規定されている制御値よりも速ければシヤツタスピードを遅くすべく前記Ｄt を現在の値より小さい値に変更し，逆にＬＵＴ１９に規定されている制御値よりも遅ければシヤツタスピードを速くすべく前記のＤt を現在の値よりも大きな値に変更する。
（３）ゲイン（パラメータＰ３）
　Ｄ／Ａ変換器２１からは映像信号の増幅率を決定するゲイン設定信号を出力し，ＡＧＣ回路５へと供給する。」（段落【００３０】ないし段落【００３６】）
（エ）「すなわち，図７，図８等から明らかなように，各制御パラメータを複数のエリア（本実施例ではＡ，Ｂ，Ｃの３エリア）に分割し，入力パラメータすなわち被写体照度の変化に応じて各エリアが選択されるようになされ，且つ各エリアごとに見ると，いずれもＡＥ制御に用いる可変のパラメータが１つだけ指定され，他の２つは固定（ＦＩＸ）されている。この様子はプログラム線図下方の表に示されている。（中略）
　すなわち本発明は，あらゆる撮影状況に対応させるために制御パラメータを増やしたことによつて当然生じる複雑な演算処理を，パラメータの設定領域を複数の領域に分割し，その各領域で可変するパラメータを１つとして他を固定することにより，複雑多岐にわたる撮影条件と複数の制御すべきパラメータの取り扱いが簡素化でき，大規模なロジツクや大型のコンピユータを用いることなく最適ＡＥ制御を実現することができるものである。（中略）
　ビデオカメラ特有の性質として，通常撮影の対象が動画像であり刻々と撮影条件が変化していることが挙げられる。
　入力パラメータに対応して各制御パラメータを設定する場合，撮影条件の変化に伴い，分割した複数のエリア間を入力パラメータの値が移動することが生じてくる。このとき，被制御パラメータの切り換え動作が発生するが，パラメータによつては画面上の変化の仕方が大きく異なることがあり，この変化が頻繁に発生すると，画面が見ずらくなることが予想される。（中略）
　そこで，本発明では，この対策として図７，８に示すように，隣接エリアの２つのパラメータを，エリアの境界付近辺の境界部分の領域Ｂ１，Ｂ２においてのみ同時に変化させるように制御している。（中略）
　このようにして２つのパラメータを同時に変化させることによつて，各パラメータ特有の画像変化が同時にかつ徐々に発生して行くので，エリア間におけるパラメータの移動が発生した場合でも画面の変化を視覚的に違和感のないものとすることができる。」（段落【００６９】ないし段落【００８０】）
（オ）「図９は，たとえば図７のプログラム線図を用いるプログラム撮影モードにおける，上述のエリア境界部分のパラメータ処理を含めたパラメータ設定動作を示すフローチヤートである。（中略）
　Ｓ６では，基準パラメータ軸上における現在のエリアすなわち入力パラメータに対応する被写体照度から現在のエリアを確認する。
　続いてＳ７へと進んで，現在のエリアに応じて分岐先を決定する。
　エリアＡと決定された場合には，Ｓ８へと進んでアイリス制御パラメータＰ１を算出し，続いてＳ９でエリアの境界域Ｂ１の内外の判定を行ない，境界Ｂ１外であればＳ１０に進んでシヤツタスピード制御パラメータＰ２を前置保持して固定し，Ｂ１内であればＳ１１へと進んでシヤツタスピード制御Ｐ２を算出して更新した後Ｓ２１へと進み，ゲイン制御パラメータＰ３を前置保持して固定し，Ｓ２４へと進む。
　またＳ６でエリアＢと決定された場合は，Ｓ１２でシヤツタスピード制御パラメータＰ２を算出し，Ｓ１３へと進んでエリアの境界域Ｂ１，Ｂ２それぞれの内外の判定を行ない，Ｂ１内であつた場合はＳ１４でアイリス制御パラメータＰ１を算出してＳ２１へと進み，ゲイン制御パラメータＰ３を前置保持して固定した後Ｓ２４へと進む。
　Ｂ２内であつた場合にはＳ１６へと進んでゲイン制御パラメータＰ３を算出して，Ｓ２３へと進み，アイリス制御パラメータＰ１を前置保持して固定した後，Ｓ２４へと進む。
　Ｂ１にもＢ２にも属していない場合には，Ｓ１５でアイリス制御パラメータＰ１を前置保持して固定し，Ｓ２２でゲイン制御パラメータＰ３を固定した後，Ｓ２４へと進む。
　またＳ７において，エリアＣと決定された場合には，Ｓ１７へと進んでゲイン制御パラメータＰ３を算出し，続いてＳ１８でエリアの境界域Ｂ２の内外の判定を行ない，境界Ｂ２外であれば，Ｓ２０に進んでシヤツタスピード制御パラメータＰ２を前置保持して固定し，Ｂ２内であればＳ１９へと進んでシヤツタスピード制御Ｐ２を算出して更新してＳ２３へと進み，アイリス制御パラメータＰ１を前置保持して固定した後，Ｓ２４へと進む。」（段落【００９４】ないし段落【０１０４】）
（カ）「また図１４は同じく『フルオート撮影モード』における，図１２のＬＵＴとは異なる撮影状況において参照される，別の制御特性を決定するデータを格納したＬＵＴの内部構造を示し，図１５は図１４のＬＵＴにもとづいて行なわれる，被写体照度すなわち撮影輝度に対応した制御パラメータの遷移図で，前述の図７，図８に示したようなプログラム線図と同様のものである。（中略）
　図１３の制御パラメータの遷移図では，入力輝度レベルの値に応じ，ｙ１〜ｙ５の５つのしきい値によつて６個のエリアに分割されており，それぞれにおいてＩ，Ｓ，Ｇの各制御パラメータが設定されており，同図右側に示すように，アイリスはＣＬＯＳＥ，所定値Ｆ１，ＯＰＥＮの間を可変され，シヤツタは高速のＴ１，フリツカ対策用の１／１００秒（ＮＴＳＣ）のＴ２，標準の１／６０秒ＳＴＡＮＤＡＲＤの間で可変される，ゲインは±０ｄＢのＴＨＲＯＵＧＨ，所定値Ｇ１，さらに大きなＧ２の間を変化するものである。同図で，Ｉ，Ｓ，Ｇがそれぞれ対応するパラメータの可変領域である。
　また図１５の制御パラメータの遷移図も図１３と考え方は同一であるが，入力輝度レベルの値に応じたエリア分割は，ｙ６〜ｙ８の３つのしきい値によつて４個のエリアに分割されたそれぞれに対して各制御パラメータの設定が行なわれている。（中略）
　以下各図における個々のパラメータについて順に説明する。
（Ｐ１：アイリス制御パラメータ）
　アイリス制御パラメータは，入力パラメータＹすなわち輝度レベルによつて変化し，その属性として関数ｆ(y) が定義されている。
　入力輝度レベルが図１３に示すしきい値ｙ１よりも高い場合には図１２の右側のデータ欄から明らかなように，『→ＣＡＬ』の表示で演算（ｃａｌｃｕｌａｔｉｏｎ）が必要であることを示している。
　この場合の前提は，輝度がきわめて高く，アイリスの小絞りによる光の回折現象に起因する解像力の低下を抑えるべく，シヤツタスピードは若干高めに設定してアイリスが小絞りになり過ぎないようにするとともに，時間軸方向の折り返し成分（いわゆるチラツキ）が目立たない程度の時間設定Ｔ１となされ，ＡＧＣゲインを±０ｄＢ（ＴＨＲＯＵＧＨ）にしてＳ／Ｎを劣化させないような設定となつている。
　入力輝度レベルがｙ１とｙ２の間では，アイリスを絞り値Ｆ１に固定して設定しており，演算が不要であることが図１２のデータ欄の『Ｆ１』によつて設定されている。Ｆ１の値は前記回折現象が発生しない程度の絞り値とすることが望ましい。
　また入力輝度レベルがｙ２とｙ３の間では，『→ＣＡＬ』の表示にから明らかなように，演算が必要であることが示されている。この範囲がアイリスによつて露出を制御するもっとも広いレンジを有するエリアである。（中略）
（Ｐ２：シヤツタ制御パラメータ）
　シヤツタ制御パラメータは，ｙ１〜ｙ５のしきい値によつて入力パラメータの輝度の関数ｆ(Y) が定義されている。
　入力輝度レベルがｙ１よりも高い場合には『→Ｔ１』が定義され，シヤツタスピードを高速のＴ１に固定する設定になつている。そしてこの場合は演算は不要である。
　ここでＴ１は前述したように，小絞り対策のため，若干高めの設定となつており，たとえば１／１２５〜１／５００秒の範囲内で選択される。
　入力輝度レベルがｙ１とｙ２の間では，『→ＣＡＬ』が設定されており，入力輝度レベルに応じた最適なシヤツタスピードを算出し，パラメータ値の設定が必要であることを示している。
　これは小絞り対策のために回折現象の発生しない絞り値でアイリスを一旦固定してしまうため，光量の増加分に見あうだけシヤツタスピードを速く設定する必要がある。このために上記演算を行なうわけである。（中略）
　そこでフリツカの無い場合を考慮し，このようにシヤツタスピードがＴ２で一旦止まることがないような制御特性を別のＬＵＴとして定義し，蛍光灯フリツカのない条件下で用いるようにしたのが図１４に示すＬＵＴであり，その場合の各３つのパラメータの入力パラメータである輝度レベルに対する遷移を表わしたのが図１５である。これらの図については，図１２，図１３と同様の見方で理解できるため，詳細な説明は省略する。」（段落【０１１３】ないし段落【０１３２】）
　
イ　対比
　本願補正発明と引用例に記載された発明（以下「引用発明」という。）とを対比する。
ａ　引用例の上記記載（ア）ないし（ウ）及び図１によれば，ビデオカメラ等の撮像装置において，積分器１０は，撮像画面内の指定領域内に相当する撮像信号を積分してその平均光量を求め，Ａ／Ｄ変換器１１は，上記平均光量をＡ／Ｄ変換した値（積分値）をシステムコントロール回路に入力し，システムコントロール回路２５は，アイリス制御信号を出力して，上記積分値が撮影モードに対応するＬＵＴ１９にて規定された制御値に一致するようにアイリス開口量（パラメータＰ１）を可変制御するとともに，撮像素子の蓄積時間設定信号Ｄｔを出力して，上記積分値がＬＵＴ１９に規定されている制御値に一致するように電子シャッタのシャッタスピード（パラメータＰ２）を可変制御し，これによりあらゆる撮影状況に対して最適露出制御を行っている。
　上記「ＬＵＴ１９にて規定された制御値」，「アイリス開口量（パラメータＰ１）」，「シャッタスピード（パラメータＰ２）」は，それぞれ本願補正発明にいう「あらかじめ設定した目標値」，「アイリスの開度」，「電子シャッタスピード」に相当する。また，上記平均光量をＡ／Ｄ変換した値（積分値）は，目標値との比較により最適露出制御を行うべく実際に得た撮像信号を積分して求めた平均光量をＡ／Ｄ変換した値であり，本願補正発明にいう「測光値」に対応するものといえる。
　したがって，上記引用例には，「測光値があらかじめ設定した目標値に一致するようにアイリスの開度を制御する機能と，撮像素子の電子シャッタスピードを制御する機能とを有するビデオカメラの露出制御方法」が開示されているといえる。
　もっとも，上記測光値は，本願補正発明では，「輝度信号を積分した輝度積分値」を基に求めているのに対し，引用発明では，撮像信号を積分して求めた平均光量を基に求めているものの，「輝度信号を積分した輝度積分値」を基に求めているかどうか定かではない。
ｂ　引用例の上記記載（カ），図１４及び図１５によれば，入力輝度レベルの値（ｙ６ないしｙ８）に応じて４個のエリアに分割し，それぞれのエリアに対して被写体照度すなわち撮影輝度に対応した制御パラメータを設定している。
　そして，図１５の制御パラメータの遷移図が図１３と同様の考え方に基づいていることを考慮すれば，
（ｉ）入力輝度レベルがｙ７とｙ８との間であるエリアにおいては，電子シャッタスピードを標準値に固定した状態で，アイリス開度をＣＬＯＳＥと所定値Ｆ１との間で調整して露出制御を行い，
（ｉｉ）入力輝度レベルがｙ６とｙ７との間であるエリアにおいては，アイリス開度を小絞り対策のために回折現象が発生しない程度の値Ｆ１に固定した状態で，電子シャッタスピードを高速のＴ１（可変範囲の上限）と標準値（可変範囲の下限）との間で調整して露出制御を行い，
（ｉｉｉ）入力輝度レベルがｙ６より大きいエリアにおいては，電子シャッタスピードを高速のＴ１に固定した状態で，アイリス開度を上記値Ｆ１とＯＰＥＮとの間で調整して露出制御を行うことが明らかである。
　上記「高速のＴ１」，「標準値」は，それぞれ本願補正発明にいう「最高値」，「ノーマル値」ということができる。
　また，アイリス開度が小さすぎると回折現象による小絞りボケが生じることが技術常識であるところ，引用発明では，小絞り対策のためにアイリス開度を回折現象が発生しない程度の大きさに設定しているのであるから，「小絞り対策のために回折現象が発生しない程度の値Ｆ１」は，本願補正発明にいう「小絞りボケが生じるアイリス開度よりも若干大きい設定アイリス開度」に相当することが認められる。
　そうすると，上記（ｉ）ないし（ｉｉｉ）の露出制御を行うモードは，それぞれ本願補正発明にいう「電子シャッタスピードをノーマル値に固定した状態で，露出レベルを適性露出レベルとするように，アイリスの開度を調整する第１の露出制御モード」，「アイリスの開度を，小絞りボケが生じるアイリス開度よりも若干大きい設定アイリス開度に固定した状態で，露出レベルを適性露出レベルとするように，電子シャッタスピードを調整する第２の露出制御モード」，「電子シャッタスピードを最高値に保持した状態で，露出レベルを適性露出レベルとするように，アイリスの開度を調整する第３の露出制御モード」に相当するといえる。
（なお，図７ないし図９に記載された実施例では，エリアの境界部分の領域（限界域Ｂ１及びＢ２）においては２つのパラメータを同時に制御しているものの（記載（オ）），引用例の上記記載（エ）によれば，各エリアにおいて，アイリス制御，電子シャッタスピード制御，ゲイン制御のうちのいずれか一つのパラメータのみを可変とし，他は固定することも記載されている。そして，引用例の上記記載（カ），図１４及び図１５によれば，引用発明においても，各エリアにおいて一つの制御パラメータのみを可変としていることは明らかである。）
ｃ　同じく，引用例の上記記載（カ），図１４及び図１５によれば，アイリス制御パラメータ及びシャッタ制御パラメータは，それぞれ入力輝度レベルＹの関数として定義されており，入力輝度レベルＹがｙ６＞Ｙ＞＝ｙ７のときのアイリス開度はＦ１（設定アイリス開度），入力輝度レベルＹがＹ＞＝ｙ６のときの電子シャッタスピードはＴ１（最高値），入力輝度レベルがｙ７＞Ｙのときの電子シャッタスピードは標準値（ノーマル値）であるから，
引用例の上記記載（ア）ないし（ウ）の制御動作を併せて考慮すれば，
（ｉ）被写体照度が引用例の図１５の横軸上で（暗）から（明）方向に変化している場合には，アイリス開度を調整する上記第１の露出制御モード（ｙ７とｙ８との間のエリア）において，入力輝度レベルが増加して積分値が増加するとアイリス開度を小さくする方向に制御し，入力輝度レベルがｙ７になったときにアイリス開度がＦ１（設定アイリス開度）になって，第１の露出制御モードから第２の露出制御モードに移行し，
（ｉｉ）電子シャッタスピードを調整する第２の露出制御モード（ｙ６とｙ７との間のエリア）において，入力輝度レベルが増加して積分値が増加すると電子シャッタスピードを大きくする方向に制御し，上記入力輝度レベルがｙ６になったときに電子シャッタスピードがＴ１（最高値）になって，第２の露出制御モードから第３の露出制御モードに移行し，
（ｉｉｉ）被写体照度が引用例の図１５の横軸上で（明）から（暗）方向に変化している場合には，アイリス開度を調整する第３の露出制御モード（ｙ６より大きいエリア）において，入力輝度レベルが減少して積分値が減少するとアイリス開度を大きくする方向に制御し，上記入力輝度レベルがｙ６になったときにアイリス開度がＦ１（設定アイリス開度）に戻って，第３の露出制御モードから第２の露出制御モードに移行し，
（ｉｖ）電子シャッタスピードを調整する第２の露出制御モードにおいて，入力輝度レベルが減少して積分値が減少すると電子シャッタスピードを小さくする方向に制御し，上記入力輝度レベルがｙ７になったときに電子シャッタスピードが標準値（ノーマル値）に戻って，第２の露出制御モードから第１の露出制御モードに移行することが認められる。
　そして，引用発明の「積分値が増加（または減少）している場合」と本願発明の「測光値が上昇（または減少）している場合」とは，いずれも外光が漸増（または漸減）している場合を意味していることが明らかであるから，　引用発明も，
（ｉ）「測光値が上昇している場合には，第１の露出制御モードではアイリス開度が設定アイリス開度になったら第１の露出制御モードから第２の露出制御モードに移し」，
（ｉｉ）「第２の露出制御モードでは電子シャッタスピードが最高値になったら第２の露出制御モードから第３の露出制御モードに移し」，
（ｉｉｉ）「測光値が減少している場合には，第３の露出制御モードではこのアイリス開度が設定アイリス開度に戻ったら第３の露出制御モードから第２の露出制御モードに移し」，
（ｉｖ）「第２の露出制御モードでは電子シャッタスピードがノーマル値に戻ったら，第２の露出制御モードから第１の露出制御モードに移す」ものといえる。
　もっとも，アイリスの開度を調整する第１または第３の露出制御モードから電子シャッタスピードを調整する第２の露出制御モードに移行する際，アイリス開度が設定アイリス開度になったことまたは設定アイリス開度に戻ったことを検知するために，本願補正発明では，「アイリス開度を監視」するのに対し，引用発明では，入力輝度レベルを監視し，
　電子シャッタスピードを調整する第２の露出制御モードからアイリスの開度を調整する第１または第３の露出制御モードに移行する際，電子シャッタスピードが最高値になったことまたはノーマル値に戻ったことを検知するために，本願補正発明では，「電子シャッタスピードを監視」するのに対し，引用発明では，入力輝度レベルを監視している。
　
　以上，ａないしｃより，両者は，
「測光値があらかじめ設定した目標値に一致するようにアイリスの開度を制御する機能と，撮像素子の電子シャッタスピードを制御する機能とを有するビデオカメラにおいて，
　電子シャッタスピードをノーマル値に固定した状態で，露出レベルを適性露出レベルとするように，アイリスの開度を調整する第１の露出制御モードと，
　アイリスの開度を，小絞りボケが生じるアイリス開度よりも若干大きい設定アイリス開度に固定した状態で，露出レベルを適性露出レベルとするように，電子シャッタスピードを調整する第２の露出制御モードと，
　電子シャッタスピードを最高値に保持した状態で，露出レベルを適性露出レベルとするように，アイリスの開度を調整する第３の露出制御モードとを有し，
　測光値が上昇している場合には，第１の露出制御モードではアイリス開度が設定アイリス開度になったら第１の露出制御モードから第２の露出制御モードに移し，第２の露出制御モードでは電子シャッタスピードが最高値になったら第２の露出制御モードから第３の露出制御モードに移し，
　測光値が減少している場合には，第３の露出制御モードではアイリス開度が設定アイリス開度に戻ったら第３の露出制御モードから第２の露出制御モードに移し，第２の露出制御モードでは電子シャッタスピードがノーマル値に戻ったら，第２の露出制御モードから第１の露出制御モードに移すことを特徴とするビデオカメラの露出制御方法」
である点で一致し，以下の各点で相違している。
　
［相違点１］測光値は，本願補正発明では，「輝度信号を積分した輝度積分値」を基に求めるのに対し，引用発明では，「輝度信号を積分した輝度積分値」を基に求めているかどうか定かではない点。
［相違点２］アイリスの開度を調整する第１または第３の露出制御モードから電子シャッタスピードを調整する第２の露出制御モードに移行する際，アイリス開度が設定アイリス開度になったことまたは設定アイリス開度に戻ったことを検知するために，本願補正発明では，「アイリス開度を監視」するのに対し，引用発明では，入力輝度レベルを監視し，
　電子シャッタスピードを調整する第２の露出制御モードからアイリスの開度を調整する第１または第３の露出制御モードに移行する際，電子シャッタスピードが最高値になったことまたはノーマル値に戻ったことを検知するために，本願補正発明では，「電子シャッタスピードを監視」するのに対し，引用発明では，入力輝度レベルを監視する点。
　
ウ　判断
　上記各相違点について判断する。
（ア）相違点１について
　露光制御を行う際に，輝度信号を積分した輝度積分値から測光値を求める点は周知技術（例えば，上記引用例の従来技術（段落４），特開平６−９８２５０号公報（特に，段落８参照）または特開平６−３３９０６４号公報（特に，段落３０））にすぎず，引用発明において，上記周知技術を採用する点に格別の困難はない。
　また，これによる効果も上記引用例及び周知技術から当業者が予測できる範囲のものである。
（イ）相違点２について
　アイリスの開度を調整する露出制御モードから電子シャッタスピードを調整する露出制御モードに移行する際，アイリス開度が所定値になったことを検知するために，上記アイリスの開度を調整する露出制御モードにおいて可変であるアイリス開度を監視し，
　上記電子シャッタスピードを調整する露出制御モードから上記アイリスの開度を調整する露出制御モードに移行する際，電子シャッタスピードが所定値になったことを検知するために，上記電子シャッタスピードを調整する露出制御モードにおいて可変である電子シャッタスピードを監視する露出制御方法は周知技術（例えば，原審の拒絶理由で引用した特開平２−２５４８７７号公報または特開平１−２７７２２１号公報参照）であるから，
　引用発明のアイリス制御パラメータ及びシャッタ制御パラメータは，それぞれ入力輝度レベルの関数として定義されていることを考慮すれば，
　引用発明において「入力輝度レベルを監視」するに代えて，アイリスの開度を調整する第１または第３の露出制御モードで「アイリス開度を監視」し，電子シャッタスピードを調整する第２の露出制御モードで「電子シャッタスピードを監視」するように構成することは，当業者が容易になし得ることである。
　また，これによる効果も上記引用例及び周知技術から当業者が予測できる範囲のものである。
　
　以上判断したとおり，本願補正発明における上記相違点１ないし２に係る構成はいずれも当業者が容易に想到し得たものであり，また，各相違点を総合しても本願補正発明は当業者が想到することが困難なものとはいえない。
　そして，本願補正発明の作用効果も，上記引用例及び周知技術から当業者が予測できる範囲のものである。
　
　したがって，本願補正発明は，上記引用例に記載された発明及び周知技術に基づいて，当業者が容易に発明をすることができたものであるから，特許法第２９条第２項の規定により特許出願の際独立して特許を受けることができないものである。
　
３　むすび
　以上のとおり，本件補正は，特許法第１７条の２第５項において準用する同法第１２６条第５項の規定に違反するので，特許法第１５９条第１項の規定において読み替えて準用する同法第５３条第１項の規定により却下されるべきものである。
　
第３　本願発明について
１　本願発明
　平成１６年５月２７日付けの手続補正は上記のとおり却下されたので，本願の請求項１ないし２に係る発明は，平成１６年１月９日付け手続補正書の特許請求の範囲の請求項１ないし２に記載された事項により特定されるものであると認められるところ，その請求項１に記載された発明（以下，「本願発明」という。）は以下のとおりのものである。
「【請求項１】輝度信号を積分した輝度積分値を基に求めた測光値があらかじめ設定した目標値に一致するようにアイリスの開度を制御する機能と，撮像素子の電子シャッタスピードを制御する機能とを有するビデオカメラにおいて，
　電子シャッタスピードをノーマル値に固定した状態で，露出レベルを適性露出レベルとするように，アイリスの開度を調整する第１の露出制御モードと，
　アイリスの開度を，小絞りボケが生じるアイリス開度よりも若干大きい設定アイリス開度に固定した状態で，露出レベルを適性露出レベルとするように，電子シャッタスピードを調整する第２の露出制御モードと，
　電子シャッタスピードを最高値に保持した状態で，露出レベルを適性露出レベルとするように，アイリスの開度を調整する第３の露出制御モードとを有し，
　測光値が上昇している場合には，アイリス開度が設定アイリス開度になったら第１の露出制御モードから第２の露出制御モードに移し，電子シャッタスピードが最高値になったら第２の露出制御モードから第３の露出制御モードに移し，
　測光値が減少している場合には，アイリス開度が設定アイリス開度に戻ったら第３の露出制御モードから第２の露出制御モードに移し，電子シャッタスピードがノーマル値に戻ったら，第２の露出制御モードから第１の露出制御モードに移すことを特徴とするビデオカメラの露出制御方法。」
　　
２　引用例
　原査定の拒絶の理由に引用された特開平５−６４０５９号公報（平成５年３月１２日出願公開，以下「引用例」という。）の記載事項は，上記「第２　２（３）ア」に記載したとおりである。　
　
３　対比・判断
　本願発明は，上記「第２」で検討した本願補正発明から上記「第２　２（２）」に記載した限定事項を省いたものである。　
　そうすると，本願発明の特定事項を全て含み，さらに他の特定事項を付加したものに相当する本願補正発明が，上記「第２　２（３）」に記載したとおり，上記引用例に記載された発明及び周知技術に基づいて，当業者が容易に発明をすることができたものであるから，本願発明も，同様の理由により，上記引用例に記載された発明及び周知技術に基づいて，当業者が容易に発明をすることができたものである。
　
４　むすび
　以上のとおり，本願の請求項１に係る発明は，上記引用例に記載された発明及び周知技術に基づいて，当業者が容易に発明をすることができたものであるから，特許法第２９条第２項の規定により特許を受けることができない。
　
　したがって，本願の他の請求項について検討するまでもなく，本願は拒絶されるべきものである。
　
　よって，結論のとおり審決する。